(57)【要約】【課題】ケーブルの接続が容易で防水性に優れたコンパクトなコネクタの提供を目的とする。【解決手段】ケーブルの芯線を電気接続するためのターミナル端子と、前記ターミナル端子に向けて前記芯線を付勢する弾性部材と、前記弾性部材の付勢力を開放状態に切り換えるためのレバー部材とを備え、前記ターミナル端子及び弾性部材を収容したハウジングを有し、前記ハウジングは前記レバー部材の操作部が外部に突出するように当該レバー部材を収容してあり、前記ハウジングと前記レバー部材との間を止水するための防水ラバー部材を有することを特徴とする。【選択図】  図１
2019169236.tif 000002
【特許請求の範囲】
【請求項１】
ケーブルの芯線を電気接続するためのターミナル端子と、
前記ターミナル端子に向けて前記芯線を付勢する弾性部材と、
前記弾性部材の付勢力を開放状態に切り換えるためのレバー部材とを備え、
前記ターミナル端子及び弾性部材を収容したハウジングを有し、
前記ハウジングは前記レバー部材の操作部が外部に突出するように当該レバー部材を収容してあり、
前記ハウジングと前記レバー部材との間を止水するための防水ラバー部材を有することを特徴とする防水コネクタ。
【請求項２】
前記防水ラバー部材は前記ハウジングへのケーブルの挿入部を止水するケーブル止水部を有することを特徴とする請求項１記載の防水コネクタ。
【請求項３】
前記ハウジングと前記ケーブルの接続状態を保持するためのカバー部材を有し、前記カバー部材を前記ハウジングに装着すると、前記レバー部材を前記弾性部材の付勢状態に切り換えることを特徴とする請求項１又は２記載の防水コネクタ。
【発明の詳細な説明】
【技術分野】
【０００１】
本発明は、電源用のコネクタに関し、特に防水性を備えたコネクタに係る。
【背景技術】
【０００２】
これまで防水コネクタとしては、ケーブルの芯線に圧着した端子を防水性を有するコネクタの内部の端子にネジ止めしたものが知られているが、現場でのケーブル接続作業が大変であった。
本出願人は、ケーブルコネクタの防水構造（特許文献１）やケーブルの接続性に優れたケーブル接続用コネクタ（特許文献２）等を提案している。
本発明は、さらにコンパクトで防水性を有するコネクタを検討し、本発明に至った。
【先行技術文献】
【特許文献】
【０００３】
【特許文献１】特開２０１７−４１３７６号公報
【特許文献２】特開２０１７−７３２８４号公報
【発明の概要】
【発明が解決しようとする課題】
【０００４】
本発明は、ケーブルの接続が容易で防水性に優れたコンパクトなコネクタの提供を目的とする。
【課題を解決するための手段】
【０００５】
本発明に係る防水コネクタは、ケーブルの芯線を電気接続するためのターミナル端子と、前記ターミナル端子に向けて前記芯線を付勢する弾性部材と、前記弾性部材の付勢力を開放状態に切り換えるためのレバー部材とを備え、前記ターミナル端子及び弾性部材を収容したハウジングを有し、前記ハウジングは前記レバー部材の操作部が外部に突出するように当該レバー部材を収容してあり、前記ハウジングと前記レバー部材との間を止水するための防水ラバー部材を有することを特徴とする。
ここで、防水ラバー部材は前記ハウジングへのケーブルの挿入部を止水するケーブル止水部を有するのが好ましい。
【０００６】
本発明においては、弾性部材をレバー部材でそのターミナル端子に向けて押圧する付勢力に対抗して開放状態に切り換えることで、ターミナル端子と弾性部材との間に隙間が生じケーブル芯線を挿入することができ、このレバー部材を元に戻すと、弾性部材とターミナル端子との間にケーブルの芯線を弾性挟持する。
【０００７】
コネクタの防水性を確保するために、ハウジング内にターミナル端子と弾性部材を収容した場合に、レバー部材は付勢状態と付勢力の開放状態を切り換えるのに、このレバー部材の操作部をハウジングの外側に突出させるのが操作性を確保する観点から好ましい。
そこで本発明は、レバー部材の操作部をハウジングの外側に突出させた状態で、ハウジングとレバー部材の間の隙間をゴム弾性変形する防水ラバー部材にて止水したものである。
これにより、レバー部材の操作部が動いてもそれに防水ラバー部材が追随するように変形し、切り換え操作性を維持しつつ、ハウジング内に水が浸入するのを防ぐことができる。
【０００８】
本発明において、ハウジングと前記ケーブルの接続状態を保持するためのカバー部材を有し、前記カバー部材を前記ハウジングに装着すると、前記レバー部材を前記弾性部材の付勢状態に切り換えるようにしてもよい。
例えば、弾性部材の開放状態では、レバー部材の操作部がハウジングのカバー部材を装着する面より外側に位置するようになっていて、カバー部材をハウジングに装着しようとすると、このカバー部材に操作部が当たり、この操作部が押し込まれるようになっている例が挙げられる。
これにより、弾性部材の付勢力を開放状態にしたままになるのを防ぐ。
【発明の効果】
【０００９】
本発明に係る防水コネクタは、弾性部材をレバー部材の切り換え操作により開放状態にし、ケーブルの芯線をターミナル端子と弾性部材との間に挿入し、レバー部材を元に戻すだけで、ケーブルの電気接続及び防水を図ることができるので、現場での接続作業性に優れる。
【図面の簡単な説明】
【００１０】
【図１】本発明に係る防水コネクタのハウジング内の構造例を示し、（ａ）はケーブルの芯線を挿入する前、（ｂ）はレバー部材の操作部を押し下げ、弾性部材を開放状態に切り換えた状態、（ｃ）はケーブルの芯線を弾性部材の係止部とターミナル端子との間に挿入した状態を示す。
【図２】（ａ）はハウジングとカバー部材を示し、（ｂ）はハウジングにケーブルの芯線を挿入後に下カバーを装着しようとしている状態を示す。
【図３】（ａ）は上下のカバーを二点鎖線で示し、（ｂ）はハウジングにカバー部材を装着した状態を示す。
【図４】（ａ）は本発明に係る防水コネクタ構造を適用したプラグとそれに嵌合連結するソケットの例を示し、（ｂ）は嵌合連結した状態を示す。
【図５】（ａ）はプラグの嵌合面、（ｂ）はソケットの嵌合面を示す。
【図６】（ａ）はプラグの部品構成例、（ｂ）はソケットの部品構成例を示す。
【図７】プラグのターミナル端子とソケット端子の接続構造例を示す。
【図８】（ａ）はプラグとソケットの嵌合前、（ｂ）は嵌合途中、（ｃ）は嵌合後の断面図を示す。
【図９】（ａ）〜（ｃ）はプラグとソケットの嵌合をロックする流れを示す。
【図１０】プラグとソケットの嵌合連結状態を示す。
【図１１】（ａ）〜（ｃ）はターミナル端子と弾性部材の構造例を示す。
【図１２】（ａ），（ｂ）はソケット端子の構造例を示す。
【発明を実施するための形態】
【００１１】
本発明係る防水コネクタの構造例をプラグコネクタに適用した例を以下図に基づいて説明する。
なお、本発明に係る防水コネクタは、ソケットコネクタに適用することもできる。
【００１２】
図１にハウジング１０の内側の構造を示し、図２にハウジング１０とカバー部材７０の構造例を示し、図６（ａ）にその部品構成例を示す。
ターミナル端子３０は、図１１に部品図を示すように銅又はその合金からなり、ソケット側の端子と接触する板状の接触部３０ａを有し、その後方であって、両側のサイド部から一対の規制片３１，３１を立設し、断面凹部形状のケーブルの芯線３の挿入部３３を有し、さらにその後方に後述する弾性部材４０の係止部４２の受け部３２を形成してある。
受け部３２は、係止部４２が納まりやすいように、その後方側に凸部３２ａを有する。
本明細書では、コネクタの嵌合面側を前方として表現する。
このターミナル端子３０に弾性部材４０を装着してある。
弾性部材４０は、ベース部４４から下側に折曲部４１を形成し、その先にＵ字形状の押上部４１ａを経由して、上方に折り返した係止部４２を有する。
係止部４２は、開口部４３を有するように門構え構造になっていて、この開口部４３の内側に受け部３２を位置させることで係止部４２が上下移動する際に左右にずれないようになっている。
ベース部４４に設けたランス４４ａをターミナル端子側に係止させるとともに、門構え形状の係止部４２を芯線の接続前にあっては、ターミナル端子３０の受け部３２にて保持してある。
ターミナル端子３０の接触部３０ａをハウジング１０の内側に組み込む際には、ハウジング１０にランス２１を介して係止させた樹脂製のターミナル保持部材２０に保持させてある。
この状態を図５（ａ）に示し、テストフィンガーに対応している。
また、ハウジング１０の後方側から樹脂製のレバー部材５０を両側に設けた枢着ボス部が回動の支点部５２となるように、このハウジング１０の内側に組み込んである。
レバー部材５０は、ハウジング１０の外側に突出した操作部５１と支点部５２の反対側に延在させた作用部５３を有する。
図１では、操作部５１を下方に押し下げると、作用部５３が弾性部材４０のＵ字形状に折り返した押上部４１ａを押し上げることになり、係止部４２が上方に移動する。
これにより、図１（ｂ）に示すように係止部４２がターミナル端子３０の上面から離れ、その間に隙間ができた開放状態になる。
【００１３】
図１に基づいてケーブルの接続例を説明する。
図１に示したケーブル１の例は、３本の単線２からなり、それぞれの単線２の被覆部を剥がして芯線３を露出させてある。
図１（ａ）は、芯線３をハウジングに接続する前である。
この状態では、弾性部材４０の係止部４２がその弾性付勢力にてターミナル端子の上面に接触している。
図１（ｂ）に示すように、レバー部材５０のハウジング１０から外側に突出している操作部５１を下方に向けて押し下げると、てこの原理にて反対側の作用部５３が弾性部材４０のＵ字状の押上部４１ａを下側から押し上げることで、弾性部材４０の係止部４２がターミナル端子３０の上面（受け部３２）から離れ、開放状態になる。
この操作部５１を下側に下げた状態は、そのまま維持されるようになっている。
この状態で、図１（ｃ）に示すようにケーブル１の芯線３を係止部４２とターミナル端子３０の上面との間の開放部に挿入することができ、操作部５１を上方に持ち上げると、芯線３を係止部４２の付勢力にてターミナル端子側に押圧し、挟持された状態で電気接続されることになる。
【００１４】
本発明においては、このレバー部材５０の操作性を確保しつつ、防水を図った点に特徴がある。
本実施例は、図２に示すように３Ｐタイプのコネクタであって、ハウジング１０には３つの筒状部からなる単線挿入孔１２と、それぞれの単線２に対応したレバー部材５０の取付部（取付孔）１３を有している。
図６（ａ）に部品構成図を示すように防水ラバー部材６０は、これらの単線挿入孔１２と取付部１３とを塞ぐために、周囲壁１３ａに装着される。
図１は、その装着断面図となる。
防水ラバー部材６０は、単線挿入孔１２の位置に対応させたケーブル止水部６２と、レバー部材５０の取付部１３の位置に対応させたレバー止水部６１とを有する。
ケーブル止水部６２は、内側に円錐台状の止水片６２ａを形成してあり、挿入された単線２の被覆部の外周にわたって弾性接触し、その部分を止水する。
レバー止水部６１は、操作部５１を外部に突出させるための突出口６１ａと、筒状の弾性変形部６１ｂとを有している。
突出口６１ａの内周部は、操作部５１に設けた段差部５１ａに密着し、その部分で止水する。
これにより、操作部５１の上下方向の回動の動きに合せて、筒状の弾性変形部が変形するので、レバー部材の操作性に優れる。
【００１５】
図２及び図３に示すように、コネクタはハウジング１０にケーブル１を接続後にこのケーブル１がハウジング１０から抜けないように、ハウジング１０の外周面からケーブル１の外周部に跨がってカバー部材７０を装着する例になっている。
カバー部材７０は、上カバー７２と下カバー７１とが開閉可能になるように、枢着部７３にて連結してある。
また、上カバー７２，下カバー７１には、ケーブル１の外周部に係止するケーブル押圧部７２ａ，７１ａを形成してある。
また、上カバー７２と下カバー７１を閉じると相互に係止し、閉じた状態をロックする係止爪部７１ｂと被係止部７２ｂを有している。
上下のカバーを閉じる際に、下カバー７１をハウジング１０の下面側に位置させると、図２（ｂ）に示すようにレバー部材５０の操作部５１が下カバー７１の内側の側面に当たり、操作部５１が開放状態になっていても元に戻されるので、弾性部材４０の係止部４２が芯線３に係止しないまま、カバーが閉じるのを防止する。
本実施例では、図１，２に示すように芯線３がターミナル端子３０に接続されるのを確認するための開口部１４をハウジング１０に設けてあり、図３（ｂ）に断面図を示すように上カバー７２の内側には、この開口部１４を塞ぐシート材７４を取り付けてある。
【００１６】
次に、本発明に係る防水コネクタの構造を適用したプラグ（プラグコネクタ）１００に、嵌合接続するソケット２００の例を示す。
その外観を図４に示す。
それぞれの嵌合面を図５に示す。
プラグ１００の嵌合部１１がソケット２００のソケットハウジング２１０の内側に嵌合接続される。
ソケット２００は、図６に示すようにソケットハウジング２１０の内側にソケットターミナル２３０を組み込んであり、図示を省略した機器の筐体にシール材２１３を挟み込み、取り付ける例になっている。
ソケットターミナル２３０は、図１２に部品図を示すように銅又はその合金からなる板材を一対の側壁部２３１，２３１をコ字形状に折り曲げ、これにターミナル端子３０の接触部３０ａの挿入溝部２３２を形成してあり、挿入溝部２３２の下側には突起状の接点部２３２ａを設けてある。
挿入されたターミナル端子３０の接触部３０ａを、この接点部２３２ａに向けて押圧するように、弾性材からなるソケット弾性部材２４０をカギ型の取付部２３３に取り付けた例になっている。
ソケット弾性部材２４０は、このカギ型の取付部２３３に取り付けるベース部２４１から下側に折り返した押圧片２４２を有し、ターミナル端子３０の接触部３０ａをこの接点部２３２ａに向けて押圧する。
この接触関係を図７に示す。
また、プラグ１００とソケット２００の嵌合の流れを図８に示す。
また、嵌合接続した状態の断面斜視図を図１０に示す。
本実施例では、図４（ａ）に示すように、プラグ１００側のハウジング１０のロック爪部１５と、その解除操作をするための略Ｔ字断面の操作片１５ａを有する。
一方、ソケット２００側には、操作片１５ａの支持片１５ｂを挿入できるガイド溝部２１１と、ロック被係止部２１２を設けてある。
これにより、図９にその流れを示すように、ロック爪部１５をガイド溝部２１１に沿って挿入するようにプラグとソケットを嵌合すると、弾性片からなるロック爪部１５がロック被係止部２１２に係止され、ロック状態になる。
また、プラグ１００をソケット２００から取り外す際には、操作片１５ａを押しながら取り外すことができる。
また、本実施例では、プラグのハウジング１０の嵌合部の外周面に沿って、シール材１６を取り付けた例になっている。
【符号の説明】
【００１７】
１        ケーブル
２        単線
３        芯線
１０      ハウジング
１１      嵌合部
１２      単線挿入部
１３      レバー取付部
１４      開口部
２０      ターミナル保持部材
３０      ターミナル端子
４０      弾性部材
５０      レバー部材
５１      操作部
５２      支点部
５３      作用部
６０      防水ラバー部材
６１      レバー止水部
６２      ケーブル止水部
７０      カバー部材
７１      下カバー
７２      上カバー
７３      枢着部
１００    プラグ
２００    ソケット
【図１】
2019169236.tif 000003
【図２】
2019169236.tif 000004
【図３】
2019169236.tif 000005
【図４】
2019169236.tif 000006
【図５】
2019169236.tif 000007
【図６】
2019169236.tif 000008
【図７】
2019169236.tif 000009
【図８】
2019169236.tif 000010
【図９】
2019169236.tif 000011
【図１０】
2019169236.tif 000012
【図１１】
2019169236.tif 000013
【図１２】
2019169236.tif 000014